(57)【特許請求の範囲】
【請求項１】
天レールと地レールとの間に所定間隔で支柱を立設し、両支柱に適宜な係止手段にて表裏両面にパネル板を係止して装着し、特定の位置の隣接する支柱を利用してドア枠を取付けてなる間仕切パネルにおいて、前記ドア枠は、スチール板を折曲形成した長尺部材であり、一側に戸当り部を有するとともに、他側に両側壁部で囲まれた側方開放の空間部を有し、前記空間部内に保持する合成樹脂製の複数のスペーサーを備え、該スペーサーには、前記空間部内で姿勢を保持する姿勢保持手段を備えるとともに、前記ドア枠の戸当り部に形成した取付孔から支柱の側面に形成した螺孔若しくは下穴に固定ネジを案内するガイド孔を備えたことを特徴とする間仕切パネルにおけるドア枠取付装置。
【請求項２】
前記ドア枠の戸当り部に形成する固定ネジの頭部を受け入れるザグリを、前記空間部へ突出部を形成するようにバーリング加工し、前記スペーサーのガイド孔の周囲に前記突出部を係合する凹部を形成してなる請求項１記載の間仕切パネルにおけるドア枠取付装置。
【請求項３】
前記スペーサーは、中央の本体部から両側にそれぞれ一対の脚板が延び、前記本体部に横長のガイド孔を貫通形成するとともに、前記脚板の端部を前記ドア枠の両側壁部の開口部に沿った端縁部に形成した断面略コ字形の折返し縁に係止し、該ドア枠の長手方向にのみ移動可能に係合し、更に前記ガイド孔の周囲に形成した凹部を前記ザグリの突出部に係合して前記ドア枠の長手方向への移動を規制してなる請求項２記載の間仕切パネルにおけるドア枠取付装置。
【請求項４】
前記スペーサーの本体部の端部と前記脚板の端部を面一とし、前記支柱の側面と面接触する当止部を形成してなる請求項３記載の間仕切パネルにおけるドア枠取付装置。
【発明の詳細な説明】
【技術分野】
【０００１】
本発明は、間仕切パネルにおけるドア枠取付装置に係わり、更に詳しくは支柱とドア枠を一体化するための間仕切パネルにおけるドア枠取付装置に関するものである。
【背景技術】
【０００２】
従来から天井に取付けた天レールと床面に敷設した地レールとの間に所定間隔で支柱を立設し、両支柱に適宜な係止手段にて表裏両面にパネル板を係止して装着した間仕切パネルは各種提供されている。具体的には、前記支柱は下端に設けたアジャスターを上向き開放の断面略コ字形の前記地レール内に載支するとともに、該支柱の上端に設けた天固定金具を下方開放した断面略コ字形の前記天レールの内部で天井にネジ止め固定し、隣接する支柱間には下部に前記アジャスターを利用してパネル受け部材を架設するとともに、上下中間位置に単数又は複数の横桟を横設して隣接する支柱の間隔を一定に保持している。そして、特定の位置の隣接する支柱を利用してドア枠を取付け、ドア枠にドアを開閉可能に設ける。
【０００３】
従来のスチール製のドア枠は、一側に開放した中空部材であり、空間部に下端にアジャスターを装着した支柱の一部を取り込んで、一定の空間を保持しながら、ドア枠の通路開口側から支柱にネジ止めしている。ここで、従来は、ドア枠の内部にハット曲げ加工した金属部品を上下に複数個スポット溶接して固定し、支柱の側面をハット型金属部品の台座面に当接した状態でドア枠と支柱をネジ止めしていた。しかし、ハット型金属部品をドア枠の内部にスポット溶接すると、工数が多くなり、またドア枠の通路開口側、即ち仕上げ面にスポット痕が出るので意匠性も悪くなる。
【０００４】
特許文献１には、支柱に、縦枠材と戸当り部材とからなるドア枠を通路開口側からネジ止めする構造が開示されている。前記縦枠材は、アルミ押出し成形品と推測できる形状であり、一側に支柱を受け入れ、該支柱の側面に当接する取付台が内部に一体成形されており、該縦枠材の外側に化粧面となる戸当り部材が被さり、該戸当り部材を通路開口側から前記取付台を貫通させたネジを支柱側面に螺合している。
【０００５】
しかし、特許文献１に記載の構造は、共にアルミ押出し成形品と推測できる縦枠材と戸当り部材の二部材で構成しているので、コスト高となるばかりでなく、従来のスチール製のドア枠に対する課題の解決は提供されない。
【先行技術文献】
【特許文献】
【０００６】
【特許文献１】実公昭６４−２０５７号公報
【発明の概要】
【発明が解決しようとする課題】
【０００７】
そこで、本発明が前述の状況に鑑み、解決しようとするところは、天レールと地レールとの間に所定間隔で支柱を立設し、両支柱に適宜な係止手段にて表裏両面にパネル板を係止して装着し、特定の位置の隣接する支柱を利用してドア枠を取付けてなる間仕切パネルにおいて、ドア枠を支柱に一定の空間を保ってネジ止めすることができ、ハット曲げ加工した金属部品よりも安価な合成樹脂製のスペーサーに置き換え、スポット溶接工数の削減と仕上げ面にスポット加工痕を生じさせない間仕切パネルにおけるドア枠取付装置を提供する点にある。
【課題を解決するための手段】
【０００８】
本発明は、前述の課題解決のために、天レールと地レールとの間に所定間隔で支柱を立設し、両支柱に適宜な係止手段にて表裏両面にパネル板を係止して装着し、特定の位置の隣接する支柱を利用してドア枠を取付けてなる間仕切パネルにおいて、前記ドア枠は、スチール板を折曲形成した長尺部材であり、一側に戸当り部を有するとともに、他側に両側壁部で囲まれた側方開放の空間部を有し、前記空間部内に保持する合成樹脂製の複数のスペーサーを備え、該スペーサーには、前記空間部内で姿勢を保持する姿勢保持手段を備えるとともに、前記ドア枠の戸当り部に形成した取付孔から支柱の側面に形成した螺孔若しくは下穴に固定ネジを案内するガイド孔を備えたことを特徴とする間仕切パネルにおけるドア枠取付装置を構成した（請求項１）。
【０００９】
ここで、前記ドア枠の戸当り部に形成する固定ネジの頭部を受け入れるザグリを、前記空間部へ突出部を形成するようにバーリング加工し、前記スペーサーのガイド孔の周囲に前記突出部を係合する凹部を形成してなることが好ましい（請求項２）。
【００１０】
具体的には、前記スペーサーは、中央の本体部から両側にそれぞれ一対の脚板が延び、前記本体部に横長のガイド孔を貫通形成するとともに、前記脚板の端部を前記ドア枠の両側壁部の開口部に沿った端縁部に形成した断面略コ字形の折返し縁に係止し、該ドア枠の長手方向にのみ移動可能に係合し、更に前記ガイド孔の周囲に形成した凹部を前記ザグリの突出部に係合して前記ドア枠の長手方向への移動を規制してなることがより好ましい（請求項３）。
【００１１】
また、前記スペーサーの本体部の端部と前記脚板の端部を面一とし、前記支柱の側面と面接触する当止部を形成してなることも好ましい（請求項４）。
【発明の効果】
【００１２】
以上にしてなる請求項１に係る発明の間仕切パネルにおけるドア枠取付装置は、天レールと地レールとの間に所定間隔で支柱を立設し、両支柱に適宜な係止手段にて表裏両面にパネル板を係止して装着し、特定の位置の隣接する支柱を利用してドア枠を取付けてなる間仕切パネルにおいて、前記ドア枠は、スチール板を折曲形成した長尺部材であり、一側に戸当り部を有するとともに、他側に両側壁部で囲まれた側方開放の空間部を有し、前記空間部内に保持する合成樹脂製の複数のスペーサーを備え、該スペーサーには、前記空間部内で姿勢を保持する姿勢保持手段を備えるとともに、前記ドア枠の戸当り部に形成した取付孔から支柱の側面に形成した螺孔若しくは下穴に固定ネジを案内するガイド孔を備えたので、ドア枠を支柱に一定の空間を保ってネジ止めすることができ、ハット曲げ加工した金属部品よりも安価な合成樹脂製のスペーサーに置き換えたことと、スポット溶接工数の削減によりコスト削減を図ることができ、当然に仕上げ面にスポット加工痕を生じさせず、更にスペーサーのガイド孔に固定ネジを通すことにより、戸当り部に形成した取付孔から支柱の側面に形成した螺孔若しくは下穴までの距離がある場合でも容易に固定ネジを位置決めして螺合することができ、施工作業が容易になる。
【００１３】
請求項２によれば、前記ドア枠の戸当り部に形成する固定ネジの頭部を受け入れるザグリを、前記空間部へ突出部を形成するようにバーリング加工し、前記スペーサーのガイド孔の周囲に前記突出部を係合する凹部を形成してなるので、ザグリによって固定ネジの頭部を戸当り部から突出しないように螺合できるばかりでなく、前記空間部内に突出した突出部にスペーサーの凹部を係合することで正確な位置にガイド孔を位置決めすることができる。
【００１４】
請求項３によれば、前記スペーサーは、中央の本体部から両側にそれぞれ一対の脚板が延び、前記本体部に横長のガイド孔を貫通形成するとともに、前記脚板の端部を前記ドア枠の両側壁部の開口部に沿った端縁部に形成した断面略コ字形の折返し縁に係止し、該ドア枠の長手方向にのみ移動可能に係合し、更に前記ガイド孔の周囲に形成した凹部を前記ザグリの突出部に係合して前記ドア枠の長手方向への移動を規制してなるので、合成樹脂の使用量が少なくなってコスト低減に寄与し、また横長のガイド孔なので支柱の側面に形成する螺孔若しくは下穴の位置に対する自由度があり、汎用的である。
【００１５】
請求項４によれば、前記スペーサーの本体部の端部と前記脚板の端部を面一とし、前記支柱の側面と面接触する当止部を形成してなるので、少ない樹脂量でも支柱の位置を安定に保つことができる。
【図面の簡単な説明】
【００１６】
【図１】本発明に係る間仕切パネルのフレーム構造を示す部分正面図である。
【図２】同じく本発明に係る間仕切パネルのフレーム構造を示す部分縦断側面図である。
【図３】パネル板の上部構造を示す部分斜視図である。
【図４】パネル板の下部構造を示す部分斜視図である。
【図５】パネル板を支柱に係止した状態の部分横断平面図である。
【図６】アジャスターとパネル受け部材との関係を示す斜視図である。
【図７】アジャスターを示し，（ａ）は平面図、（ｂ）は側面図、（ｃ）は縦断面図である。
【図８】間仕切パネルのフレーム構造の下部を示す部分正面図である。
【図９】ドア枠の空間部にスペーサーとアジャスター支持部材を装着した状態の部分斜視図である。
【図１０】同じくドア枠の空間部にスペーサーとアジャスター支持部材を装着した状態を示し、（ａ）は側面図、（ｂ９は縦断正面図である。
【図１１】同じくドア枠とスペーサー及びアジャスター支持部材との関係を示す分解斜視図である。
【図１２】スペーサーを示し、（ａ）は斜視図、（ｂ）は平面図、（ｃ）側面図である。
【図１３】アジャスター支持部材を示し、（ａ）は斜視図、（ｂ）は平面図、（ｃ）側面図である。
【図１４】ドア枠と下端部にアジャスターを装着した支柱を連結した状態の部分縦断正面図である。
【発明を実施するための形態】
【００１７】
次に、添付図面に示した実施形態に基づき、本発明を更に詳細に説明する。図１〜図５は、本発明に係る間仕切パネルの構造を示し、図中符号１は天レール、２は地レール、３は支柱、４はアジャスター、５は天固定金具、６はパネル受け部材、７は横桟、８はパネル板、９は支持金具をそれぞれ示している。
【００１８】
本発明に係る間仕切パネルは、天井Ｓに取付けた天レール１と床面Ｆに敷設した地レール２との間に所定間隔で支柱３，…を立設し、具体的には前記支柱３は下端に設けたアジャスター４を上向き開放の断面略コ字形の前記地レール２内に載支するとともに、該支柱３の上端に設けた天固定金具５を下方開放した断面略コ字形の前記天レール１の内部で天井Ｓにネジ止め固定し、隣接する支柱３，３間には下部に前記アジャスター４を利用してパネル受け部材６を架設するとともに、上下中間位置に単数又は複数の横桟７を横設して、隣接する支柱３，３の間隔を一定に保持し、そして両支柱３，３に適宜な係止手段にて表裏両面にパネル板８，８を係止して装着する。ここで、前記横桟７は、前記支柱３に取付けられた支持金具９によって連結されている。
【００１９】
本発明のパネル板８は、図３〜図５に示すように、スチール製の表面板１０の周囲を裏面側へ折曲して縁部１１を形成し、裏面側に石膏ボード等の防音性に優れた芯材１２が接着された構造である。更に詳しくは、前記縁部１１は、両側にあっては前記表面板１０を裏面側に略直角に折曲して端面板１３を形成し、更に該端面板１３の後端を内方へ直角よりもやや小さな角度に折曲して裏面板１４を形成し、該裏面板１４には上下方向に所定間隔毎に縦長の係止孔１５，…を形成し、上縁部にあっては前記表面板１０の上端から裏面側へ略直角に折曲して上面板１６を形成するとともに、該上面板１６の端縁を下方へ略直角に折曲して補強板１７を形成し、該補強板１７の下端と前記芯材１２の上面１２Ａとの間に空間Ｇを設けた構造である。尚、前記パネル板８の下縁部の構造も上縁部と同様であり、前記表面板１０の下端から裏面側へ略直角に折曲して下面板１８を形成するとともに、該下面板１８の端縁を上方へ略直角に折曲して補強板１９を形成し、縁部１１を形成している。
【００２０】
前記パネル板８を前記支柱３に係止するには、図１及び図２に示すように、前記支柱３の両側面で所定高さ位置に、前後両端部が該支柱３から突出するように係止板２０をネジ止めする。この係止板２０の両端部には、上向きフック部２１，２１が形成されており、該上向きフック部２１に前記パネル板８の両側の裏面板１４に形成した係止孔１５を係止する。尚、前記パネル板８を前記支柱３に係止する構造は、前述のものに限らず、従来公知の各種係止手段を採用できる。
【００２１】
ここで、前記パネル板８の上部には予めシール材２２が装着されており、前記パネル板８を支柱３に係止すると同時に、パネル板８の上部と天レール１との間の隙間が閉塞されるようになっている。前記シール材２２は、図３に示すように、硬質と軟質の二種類のエラストマー等の弾性材料の押し出し成形品であり、前記パネル板８の補強板１７と上面板１６にかけて弾性的に外覆するとともに、補強板１７の下端に係止する係止部２３を備え、更に下方へ延びて前記芯材１２に接触する第１シール部２４と外側に突出して前記天レール１に接触する第２シール部２５とを備えている。本実施形態では、前記シール材９の材質は、非鉛ＰＶＣとしている。
【００２２】
前記パネル板８の下端は、図４に示すように、補強板１９の一部を切起して下向きの突片２６を形成し、前記パネル受け部材６の水平な受板２７に形成した係合孔２８に落とし込み係合して該パネル板８の面外方向の撓み変形を防止している。また、壁面Ｗに対しては、図５に示すように、前記支柱３は使用せず、該壁面Ｗに沿って側方開放した断面略コ字形の端部部材２９を固定し、該端部部材２９の凹溝内に配置した合成樹脂製のスペーサー部材３０とで、前記パネル板８の側端部を弾性的に保持している。
【００２３】
次に、各部の詳細を更に詳しく説明する。先ず、前記支柱３は、図１、図２及び図５に示すように、正面視において横幅が従来の支柱よりも狭く、奥行は従来の支柱と同じ寸法に設定され、軽量化とコストダウンが図られている。前記支柱３は、断面略Ｃ字形で外形形状が長方形の杆体であり、短辺側が正面を向くように配置する。前記支柱３は、スチール板を折曲して形成し、短辺側の前面板３１と後面板３２、長辺側の側面板３３とその対面側の両側片３４，３４とで形成され、両側片３４，３４間には隙間があるが、勿論隙間が無くても良い。本実施形態の支柱３の横幅は狭いので、前記前面板３１と後面板３２に、前記パネル板８を係止するための係止孔を２列形成し、係止具によってパネル板８を係止することが難しい。そのため、前記係止板２０を前記支柱３の側面板３３及び両側片３４，３４にネジ止めしたのである。
【００２４】
前記アジャスター４は、図１、図２、図６〜図８に示すように、正面視において下半分は従来と同様な横幅を有し、前記支柱３の下端部を嵌着する上半分は前記支柱３の横幅に応じて横幅を小さくした形状であり、前記支柱３の下端部に装着するアジャスター受け部材３５と、該アジャスター受け部材３５に鉛直方向から螺合して前記地レール２内に載置するアジャスターボルト３６とからなるとともに、両側にパネル板８の下端を支えるパネル受け部材６を支持するための係止手段を備えている。具体的には、前記アジャスター受け部材３５は、一側面となる連結板３７の両側から直角に前板３８と後板３９を折曲して平面視略コ字形とし、更に前記連結板３７の下端を直角に折曲して水平な底面板４０を形成して前記前板３８と後板３９の間の空間を塞ぐとともに、該底面板４０の両縁部を前記前板３８と後板３９の下端に当接し、荷重を受けても変形しないようにしている。前記底面板４０の中央部には螺孔４１を形成し、前記アジャスターボルト３６を下方から螺合している。
【００２５】
前記アジャスター受け部材３５の前板３８と後板３９は、図６及び図７に示すように、上下中間位置で段差部４２を設けて上半分の横幅を狭く、下半分の横幅を広く形成し、前記連結板３７の上下中間位置に前記段差部４２と上面が同一高さレベルに係止片４３を切起し形成するとともに、前記段差部４２の外側端部には、前記前板３８と後板３９の面より内側に側面視Ｌ字状に上向きの係止爪４４，４４を形成している。
【００２６】
つまり、前記アジャスター受け部材３５は、正面視において上下中間位置に段差部４２を設けて上半分の横幅を狭く、下半分の横幅を広く形成し、上半分に前記支柱３の下端部を嵌着し、前記段差部４２と反対側の面に前記パネル受け部材６の端部を載支してネジ止めする係止片４３を切起し形成するとともに、前記段差部４２に前記パネル受け部材６の端部に形成した孔に係合する上向きの係止爪４４，４４を形成したことが特徴であり、その他の構成は適宜変更可能である。
【００２７】
前記支柱３の下端部は、図８に示すように、前面板３１と後面板３２を残して、前記側面板３３と両側片３４，３４を切り欠いた形状であり、この切欠端４５は該支柱３の下端部を前記アジャスター受け部材３５の上半分に外嵌した際に、前記段差部４２と係止片４３の上面に当止される。また、前記アジャスター受け部材３５の前板３８と後板３９の外面であって、前記支柱３に嵌合する部分には外向きに突出した片球状突起４６，４６を上下に形成し、支柱３に密嵌するようになっている。
【００２８】
そして、前記支柱３の下端部に装着された前記アジャスター４によって、前記パネル受け部材６の端部が支持される。具体的には、図６に示すように、前記パネル受け部材６は、前記地レール２の上部を外被することができる下方開放の断面略コ字形の長尺部材であり、前記地レール２の外側に位置する垂直な吊板４７の下縁には外向きに前記受板２７を折曲形成し、また上板４８の端部には、中央部に取付孔４９、その左右部に前記保持孔５０，５０が形成されている。ここで、前記保持孔５０の形状は角孔としたが、円孔でも構わない。そして、前記アジャスター受け部材３５の係止片４３が形成されている側では、前記パネル受け部材６の端部を該係止片４３に載置し、前記取付孔４９に挿通したタッピンネジ５１を係止片４３に形成した下穴５２に螺合し、その反対側にあっては前記パネル受け部材６の端部を両段差部４２，４２に載置すると同時に、両係止爪４４，４４を両保持孔５０，５０に受け入れて係合する。
【００２９】
また、前記アジャスター受け部材３５の連結板３７の上半分において、中央線に沿って少なくとも上下２箇所に通孔５３，…を形成してあり、天井Ｓまで達しない中間高さの間仕切パネルでは、前記支柱３を天井Ｓに固定することができないので、前記支柱３とアジャスター受け部材３５を、前記通孔５３，…を利用してネジ止め、あるいは圧接して強固に連結する。
【００３０】
次に、特定の位置の隣接する支柱３，３間にドアを設ける場合に、該支柱３にドア枠５４を取付ける構造を図９〜図１４に基づいて説明する。前記ドア枠５４は、スチール板を折曲形成した長尺部材であり、一側に戸当り部５５を有するとともに、他側に両側壁部５６，５６で囲まれた側方開放の空間部５７を有する。そして、本実施形態では、前記ドア枠５４の空間部５７内に、合成樹脂製の複数のスペーサー５８と、スチール製のアジャスター支持部材５９を装着し、前記空間部５７内に下端部にアジャスター４を装着した前記支柱３の側部一部を受け入れ、前記スペーサー５８に支柱３の側面を当接するとともに、前記アジャスター支持部材５９に前記アジャスター４を構成するアジャスター受け部材３５の係止爪４４，４４を利用して係合し、ドア枠５４の荷重を支柱３と共にアジャスター４でも受ける構造としている。
【００３１】
図９〜図１４に示すように、前記スペーサー５８には、前記空間部５７内で姿勢を保持する姿勢保持手段６０を備えるとともに、前記ドア枠５４の戸当り部５に形成した取付孔６１，…から支柱３の側面に形成した螺孔若しくは下穴６２に固定ネジ６３を案内するガイド孔６４を備えている。更に、前記ドア枠５４の戸当り部５に形成する固定ネジ６３の頭部６３Ａを受け入れるザグリ６５を、前記空間部５７へ突出部６６を形成するようにバーリング加工し、前記スペーサー５８のガイド孔６４の周囲に前記突出部６６を係合する凹部６７を形成している。
【００３２】
更に詳しくは、前記スペーサー５８は、中央の本体部６８から両側にそれぞれ一対の脚板６９，６９が延び、前記本体部６８に横長のガイド孔６４を貫通形成するとともに、前記脚板６９の端部を前記ドア枠５４の両側壁部５６，５６の空間部５７に沿った端縁部に形成した断面略コ字形の折返し縁７０，７０に係止し、該ドア枠５４の長手方向にのみ移動可能に係合し、更に前記ガイド孔６４の周囲に形成した凹部６７を前記ザグリ６５の反対側の突出部６６に係合して前記ドア枠５４の長手方向への移動を規制している。
【００３３】
また、前記スペーサー５８の脚板６９の端部には前記側壁部５６，５６の折返し縁７０，７０に係止するための係合段部７１を形成している。更に、前記スペーサー５８の本体部６８の端部と前記脚板６９，…の端部を面一とし、前記支柱３の側面と面接触する当止部７２を形成している。
【００３４】
次に、前記アジャスター支持部材５９を、図９〜図１１、図１３及び図１４に基づいて説明する。本実施形態では、前記アジャスター４の上下中間に設けた段差部４２に上向きに係止爪４４，４４を突設し、前記ドア枠５４の空間部５７の下部に装着したアジャスター支持部材５９の底板７３に前記係止爪４４，４４を受け入れる係合穴７４，７４を形成し、前記支柱３を前記ドア枠５４にネジ止めすると同時に、前記アジャスター４の係止爪４４をアジャスター支持部材５９の係合穴７４に係合し且つ段差部４２に底板７３を当止して荷重を受けるようにしている。
【００３５】
更に詳しくは、前記アジャスター４のアジャスター受け部材３５は、上下中間部に段差部４２を設けて上半分の横幅を狭く、下半分の横幅を広く設定し、上半分を前記支柱３の下端部に嵌挿し、前記段差部４２に上向きに係止爪４４を突設してなるものである。
【００３６】
そして、前記アジャスター支持部材５９は、前記ドア枠５４の戸当り部５５の内面側に当接する基板７５と前記係合穴７４，７４を形成した底板７３及び天面板７６とからなる側面視略コ字形を有し、前記底板７３の遊端側の両端部に係止突片７７，７７を形成するとともに、前記天面板７６と基板７５にかけて中央部にスリット７８を形成して内外弾性変形可能とし、該天面板７６の遊端側の両端部に突起７９を形成し、前記ドア枠５４の両側壁部５６，５６の空間部５７に沿った端縁部に形成した断面略コ字形の折返し縁７０，７０に形成した切欠凹部８０，８０に前記係止突片７７，７７を係止するとともに、前記突起７９，７９を前記折返し縁７０，７０の縁部に係止して取付ける。
【００３７】
また、前記アジャスター支持部材５９の底板７３及び天面板７６は、それぞれ上方に直角に折曲して補強片８１，８２を形成し、該補強片８１，８２に前記支柱３の側面を当止して、取付強度を高めている。
【００３８】
このように、前記ドア枠５４の空間部５７内に複数の前記スペーサー５８，…を装着するとともに、前記アジャスター支持部材５９を該ドア枠５４の長手方向に移動不能に装着した状態で、下端部にアジャスター４を嵌着した前記支柱３を前記ドア枠５４の空間部５７内に一部を受け入れ、前記スペーサー５８の当止部７２とを前記アジャスター支持部材５９の補強片８１，８２に前記支柱３の側面を当止した状態で、若干支柱３を上方へスライドさせて、前記アジャスター４の係止爪４４，４４を前記アジャスター支持部材５９の係合穴７４に係合するとともに、段差部４２に底板７３を当止する。この状態で、前記ドア枠５４の戸当り部５５に形成した取付孔６１，…に固定ネジ６３を挿入すると、該固定ネジ６３の軸部６３Ｂはスペーサー５８のガイド孔６４に案内されて、前記支柱３の側面に形成した螺孔若しくは下穴６２まで容易に案内されるので、該固定ネジ６３を締め付けることができる。このように、前記支柱３にドア枠５４を所定の空間を設けて、上下方向の荷重を十分に受ける状態で一体化できるのである。
【符号の説明】
【００３９】
１  天レール、              ２  地レール、
３  支柱、                  ４  アジャスター、
５  天固定金具、            ６  パネル受け部材、
７  横桟、                  ８  パネル板、
９  支持金具、              １０  表面板、
１１  縁部、                １２  芯材、
１３  端面板、              １４  裏面板、
１５  係止孔、              １６  上面板、
１７  補強板、              １８  下面板、
１９  補強板、              ２０  係止板、
２１  上向きフック部、      ２２  シール材、
２３  係止部、              ２４  第１シール部、
２５  第２シール部、        ２６  突片、
２７  受板、                ２８  係合孔、
２９  端部部材、            ３０  スペーサー部材、
３１  前面板、              ３２  後面板、
３３  側面板、              ３４  側片、
３５  アジャスター受け部材、３６  アジャスターボルト、
３７  連結板、              ３８  前板、
３９  後板、                ４０  底面板、
４１  螺孔、                ４２  段差部、
４３  係止片、              ４４  係止爪、
４５  切欠端、              ４６  突起、
４７  吊板、                ４８  上板、
４９  取付孔、              ５０  保持孔、
５１  タッピンネジ、        ５２  下穴、
５３  通孔、                ５４  ドア枠、
５５  戸当り部、            ５６  側壁部、
５７  空間部、              ５８  スペーサー、
５９  アジャスター支持部材、６０  姿勢保持手段、
６１  取付孔、              ６２  下穴、
６３  固定ネジ、            ６３Ａ  頭部、
６３Ｂ  軸部、              ６４  ガイド孔、
６５  ザグリ、              ６６  突出部、
６７  凹部、                ６８  本体部、
６９  脚板、                ７０  折返し縁、
７１  係合段部、            ７２  当止部、
７３  底板、                ７４  係合穴、
７５  基板、                ７６  天面板、
７７  係止突片、            ７８  スリット、
７９  突起、                ８０  切欠凹部、
８１  補強片、              ８２  補強片、
Ｆ  床面、
Ｓ  天井、
Ｗ  壁面。
【図１】
0006511966.tif 000002
【図２】
0006511966.tif 000003
【図３】
0006511966.tif 000004
【図４】
0006511966.tif 000005
【図５】
0006511966.tif 000006
【図６】
0006511966.tif 000007
【図７】
0006511966.tif 000008
【図８】
0006511966.tif 000009
【図９】
0006511966.tif 000010
【図１０】
0006511966.tif 000011
【図１１】
0006511966.tif 000012
【図１２】
0006511966.tif 000013
【図１３】
0006511966.tif 000014
【図１４】
0006511966.tif 000015